(57)【要約】【課題】  皮膚や毛髪に優しく作用する弱酸性ミストを吐出できるヘアドライヤーを提供すること。【解決手段】  一端に吸入口２ａを有し他端に吹出口２ｂを有する筒状の本体ケース２の内部に、送風手段を設けたヘアドライヤーであって、本体ケース２内に、弱酸性ミストを発生させるミスト発生装置７、８を設けて、吹出口２ｂから弱酸性ミストを吐出させる。【選択図】  図１
2009136303.tif 000002
【特許請求の範囲】
【請求項１】
一端に吸入口及び他端に吹出口を有する筒状の本体ケースの内部に、送風手段を設けたヘアドライヤーにおいて、
前記本体ケース内に、弱酸性ミストを発生させるミスト発生装置を設けて、前記吹出口から弱酸性ミストを吐出させることを特徴とするヘアドライヤー。
【請求項２】
一端に吸入口及び他端に吹出口を有する筒状の本体ケースの内部に、加熱及び送風手段を設けたヘアドライヤーにおいて、
前記本体ケース内に、弱酸性ミストを発生させるミスト発生装置を設けて、前記吹出口から弱酸性ミストを含む温風を吐出させることを特徴とするヘアドライヤー。
【請求項３】
前記ミスト発生装置は、銀イオン水を貯留させたタンクと、マイナスイオンを発生するイオン発生器とを有し、前記タンク内の銀イオン水を前記イオン発生器の対向する電極間に当てて弱酸性ミストを生成させることを特徴とする請求項１又は２に記載のヘアドライヤー。
【請求項４】
前記タンクは、内部に水及び銀ペレットを収容し、出口に吸水部材を装着して、内部の銀イオン水を前記吸水部材を介して漏出させると共に、該漏出された銀イオン水を加熱手段で加熱蒸発させて前記送風手段により前記イオン発生器へ送風することを特徴とする請求項３に記載のヘアドライヤー。
【請求項５】
前記弱酸性ミストは、酸性度が３．５〜６．０ｐＨの範囲に設定されていることを特徴とする請求項１〜４のいずれかに記載のヘアドライヤー。
【請求項６】
前記タンクは、前記本体ケースに着脱自在な固着手段により装着されていることを特徴とする請求項１〜５のいずれかに記載のヘアドライヤー。
【請求項７】
一端に吸入口及び他端に吹出口を有する筒状体からなる本体ケースの内部に、通風路を設けたヘアドライヤーにおいて、
前記本体ケースは、前記通風路を仕切り部により、第１吸入口及び第１吹出口を有する第１通風路と、第２吸入口及び第２吹出口を有する第２通風路とに仕切り、前記第１通風路には、温風を発生させる温風発生装置、前記第２通風路には弱酸性ミストを発生させるミスト発生装置をそれぞれ配設して、これらの温風発生装置及びミスト発生装置を制御装置により制御し、前記第１吹出口から温風又は前記第２吹出口から弱酸性ミスト又は該弱酸性ミストを含む温風を吐出させることを特徴とするヘアドライヤー。
【請求項８】
前記温風発生装置は、前記第１吸入口から空気を吸引して前記第１吹出口から吐出させる第１送風手段と、前記第１送風手段から送風された空気を所定温度に加温する第１加熱手段と、マイナスイオンを発生する第１イオン発生器とを有し、前記第１吸入口から空気を吸引した空気を前記第１イオン発生器に当ててマイナスイオンを含む温風を発生させ、前記ミスト発生手段は、前記第２吸入口から空気を吸引して前記第２吹出口から吐出させる第２送風手段と、銀イオン水を貯留したタンクと、マイナスイオンを発生する第２イオン発生器とを有し、前記タンク内の銀イオン水を前記第２イオン発生器の対向する電極間に当てて弱酸性ミストを生成させることを特徴とする請求項７に記載のヘアドライヤー。
【請求項９】
前記第２吹出口の開口面積を前記第１吹出口の開口面積より大きくしたことを特徴とする請求項７又は８に記載のヘアドライヤー。
【請求項１０】
前記タンクは、内部に水及び銀ペレットを収容し、出口に吸水部材を装着して、内部の銀イオン水を前記吸水部材を介して漏出させると共に、該漏出された銀イオン水を加熱手段で加熱蒸発させて、前記第２送風手段で前記第２イオン発生器へ送風することを特徴とする請求項７又は８に記載のヘアドライヤー。
【請求項１１】
前記弱酸性ミストは、酸性度が３．５〜６．０ｐＨの範囲に設定されていることを特徴とする請求項７〜１０のいずれかに記載のヘアドライヤー。
【請求項１２】
前記タンクは、前記本体ケースに着脱自在な固着手段により装着されていることを特徴とする請求項７〜１０のいずれかに記載のヘアドライヤー。
【請求項１３】
一端に吸入口及び他端に吹出口を有する筒状体からなる本体ケースの内部に、通風路を設けたヘアドライヤーにおいて、
前記本体ケースは、前記通風路を仕切り部により、第１吸入口及び第１吹出口を有する第１通風路と、第２吸入口及び第２吹出口を有する第２通風路とに仕切るとともに、前記仕切り部の一部にシャッタを設け、前記第１通風路には、温風を発生させる温風発生装置、前記第２通風路には弱酸性ミストを発生させるミスト発生装置をそれぞれ配設して、これらの温風発生手段及びミスト発生手段並びにシャッタを制御手段により制御して、前記第１吹出口から温風又は前記第２吹出口から弱酸性ミスト又は該弱酸性ミストを含む温風を吐出させることを特徴とするヘアドライヤー。
【請求項１４】
前記温風発生装置は、前記第１吸入口から空気を吸引して前記第１吹出口から吐出させる第１送風手段と、前記第１送風手段から送風された空気を所定温度に加温する第１加熱手段と、マイナスイオンを発生する第１イオン発生器とを有し、前記第１吸入口から空気を吸引した空気を前記第１イオン発生器に当ててマイナスイオンを含む温風を発生させ、前記ミスト発生手段は、銀イオン水を貯留したタンクと、マイナスイオンを発生する第２イオン発生器とを有し、前記タンク内の銀イオン水を前記第２イオン発生器の対向する電極間に当てて弱酸性ミストを生成させることを特徴とする請求項１３に記載のヘアドライヤー。
【請求項１５】
前記タンクは、内部に水及び銀ペレットを収容し、出口に吸水部材を装着して、内部の銀イオン水を前記吸水部材を介して漏出させると共に、該漏出された銀イオン水を加熱手段で加熱蒸発させて、前記第２送風手段で前記第２イオン発生器へ送風することを特徴とする請求項１３又は１４に記載のヘアドライヤー。
【請求項１６】
前記弱酸性ミストは、酸性度が３．５〜６．０ｐＨの範囲に設定されていることを特徴とする請求項１３〜１５のいずれかに記載のヘアドライヤー。
【請求項１７】
前記タンクは、前記本体ケースに着脱自在な固着手段により装着されていることを特徴とする請求項１３〜１５のいずれかに記載のヘアドライヤー。
【発明の詳細な説明】
【技術分野】
【０００１】
本発明はヘアドライヤーに係り、詳しくは弱酸性ミストを吐出させるヘアドライヤーに関するものである。
【背景技術】
【０００２】
近年、マイナスイオンを含む温風を吐出させるヘアドライヤーが開発されている（例えば、下記特許文献１〜３参照）。
【０００３】
そこで、図５を参照して、下記特許文献１に開示されたヘアドライヤーを説明する。なお、図５は下記特許文献１に開示されたヘアドライヤーの断面図である。
【０００４】
下記特許文献１に開示されたヘアドライヤー２０は、筒状のケーシング本体２１を有し、このケーシング本体２１はその内部に送風ファン２２が収容されると共に、この送風ファン２２の下流が仕切り板２４で仕切られて上下方向にそれぞれ通路２３が形成された構成を有している。これらの通路２３のうち、上方の通路２３ａにはヒータ２７、下方の通路２３ｂにはオゾン発生装置２８がそれぞれ配設された構成を有している。
【０００５】
このヘアドライヤー２０は、電源スイッチＳＷがオンされると送風ファン２２が回転し、この回転により吸気口から空気が吸い込まれて、この吸い込まれた空気が仕切り板２４で上下方向の通路２３ａ、２３ｂへそれぞれ分流される。このうち、上方の通路２３ａを通過する空気はヒータ２７で加温され、また、下方の通路２３ｂを通過する空気はオゾン発生装置２８からのオゾンが混入されて、これらが吹出口２１ａ部分で合流されて、この吹出口２１ａからオゾンを含む温風となって吐出されるようになっている。
【０００６】
また、下記特許文献２には、同様の筒状のケーシング本体を有し、このハウジング本体は、その内部に空気流路とイオン流路とが別々に設けられたヘアドライヤーが記載されている。更に、下記特許文献３には、イオンミストをナノサイズにしたヘアドライヤーが記載されている。
【特許文献１】特開平８−４７４１５号公報（段落〔０００６〕〜〔００１３〕、図１）
【特許文献２】特開２００２−１９１４２６号公報（段落〔０００７〕〜〔００１１〕、図１）
【特許文献３】特開２００５−３０４９６１号公報（段落〔０００４〕〜〔０００６〕、図１）
【発明の開示】
【発明が解決しようとする課題】
【０００７】
上記特許文献１に開示された構成のヘアドライヤーからは、オゾンを含む温風が送風されるので、このオゾンにより毛髪の過度の乾燥を防ぎながら毛髪の損傷を防止できる。また、上記特許文献２、３に開示された構成のヘアドライヤーからは、マイナスイオンを含む温風が送風されるので、毛髪の乾燥やセットだけでなく、マイナスイオンを含む温風によって毛髪のキメ細かなトリートメントをも行うことができる。
【０００８】
ところが近年は、生活レベルが向上し、これに伴って個々人の生活様式も多様化して、ユーザからはこの種のヘアドライヤーに対して様々な要求が出されている。その要求の根源は、老若男女を問わず、いつまでも若いときの美肌及び美髪を長く維持したいという願望に基づくもので、この願望を実現できる製品作りが求められている。
【０００９】
このような要望に対して、石鹸や洗剤等では、皮膚や毛髪に優しく作用するものが既に製品化されて市販されている。これらの製品は、皮膚等との相性を考慮したものとなっている。すなわち、これらの製品をアルカリ性のものにすると皮膚などとの相性が悪くなり、皮膚がこのアルカリ成分の影響を受けて細胞の代謝が妨げられて毛穴が老廃物で詰まり酸欠状態となって皮膚を弛ませて老化促進の一因となる。反対に酸性のもの、特にその酸性度を強くすると皮膚や毛髪から栄養分が引出されて皮膚などがカサカサになり、フケ、かゆみなどの一因となる。これに対して、酸性でも酸性度が弱い弱酸性であると、皮膚や毛髪に優しく作用すると言われていることから、酸性度を所定の範囲の弱酸性にしたものとなっている。この様な製品は、石鹸の他に、化粧水、乳液、クリーム、シャンプーなども弱酸性にしたものが開発され既に市販されている。
【００１０】
そこで、本発明者はこのような弱酸性の石鹸や洗剤などが皮膚や毛髪に優しく作用すると言われていることから、ヘアドライヤーも弱酸性の成分を皮膚や毛髪に当てるようにすれば、同じような効能が毛髪にも得られることを見出し、ヘアドライヤーから出る風に弱酸性ミストを混入させることに成功して、本発明のヘアドドライヤーを完成させるに至ったものである。
【００１１】
本発明はこのような背景に鑑みてなされたもので、その目的は、皮膚や毛髪に優しく作用する弱酸性ミストを吐出できるヘアドライヤーを提供することにある。
【課題を解決するための手段】
【００１２】
上記目的を達成するために、請求項１に記載のヘアドライヤーの発明は、一端に吸入口及び他端に吹出口を有する筒状の本体ケースの内部に、送風手段を設けたヘアドライヤーにおいて、前記本体ケース内に、弱酸性ミストを発生させるミスト発生装置を設けて、前記吹出口から弱酸性ミストを吐出させることを特徴とする。
【００１３】
請求項２に記載のヘアドライヤーの発明は、一端に吸入口及び他端に吹出口を有する筒状の本体ケースの内部に、加熱及び送風手段を設けたヘアドライヤーにおいて、前記本体ケース内に、弱酸性ミストを発生させるミスト発生装置を設けて、前記吹出口から弱酸性ミストを含む温風を吐出させることを特徴とする。
【００１４】
また、請求項３に記載の発明は、請求項１又は２に記載のヘアドライヤーにおいて、前記ミスト発生装置は、銀イオン水を貯留させたタンクと、マイナスイオンを発生するイオン発生器とを有し、前記タンク内の銀イオン水を前記イオン発生器の対向する電極間に当てて弱酸性ミストを生成させることを特徴とする。
【００１５】
また、請求項４に記載の発明は、請求項３に記載のヘアドライヤーにおいて、前記タンクは、内部に水及び銀ペレットを収容し、出口に吸水部材を装着して、内部の銀イオン水を前記吸水部材を介して漏出させると共に、該漏出された銀イオン水を加熱手段で加熱蒸発させて前記送風手段により前記イオン発生器へ送風することを特徴とする。
【００１６】
また、請求項５に記載の発明は、請求項１〜４のいずれかに記載のヘアドライヤーにおいて、前記弱酸性ミストは、酸性度が３．５〜６．０ｐＨの範囲に設定されていることを特徴とする。
【００１７】
また、請求項６に記載の発明は、請求項１〜５のいずれかに記載のヘアドライヤーにおいて、前記タンクは、前記本体ケースに着脱自在な固着手段により装着されていることを特徴とする。
【００１８】
請求項７に記載のヘアドライヤーの発明は、一端に吸入口及び他端に吹出口を有する筒状体からなる本体ケースの内部に、通風路を設けたヘアドライヤーにおいて、前記本体ケースは、前記通風路を仕切り部により、第１吸入口及び第１吹出口を有する第１通風路と、第２吸入口及び第２吹出口を有する第２通風路とに仕切り、前記第１通風路には、温風を発生させる温風発生装置、前記第２通風路には弱酸性ミストを発生させるミスト発生装置をそれぞれ配設して、これらの温風発生装置及びミスト発生装置を制御装置により制御し、前記第１吹出口から温風又は前記第２吹出口から弱酸性ミスト又は該弱酸性ミストを含む温風を吐出させることを特徴とする。
【００１９】
また、請求項８に記載の発明は、請求項７に記載のヘアドライヤーにおいて、前記温風発生装置は、前記第１吸入口から空気を吸引して前記第１吹出口から吐出させる第１送風手段と、前記第１送風手段から送風された空気を所定温度に加温する第１加熱手段と、マイナスイオンを発生する第１イオン発生器とを有し、前記第１吸入口から空気を吸引した空気を前記第１イオン発生器に当ててマイナスイオンを含む温風を発生させ、前記ミスト発生手段は、銀イオン水を貯留したタンクと、マイナスイオンを発生する第２イオン発生器とを有し、前記タンク内の銀イオン水を前記第２イオン発生器の対向する電極間に当てて弱酸性ミストを生成させることを特徴とする。
【００２０】
また、請求項９に記載の発明は、請求項７又は８に記載のヘアドライヤーにおいて、前記第２吹出口の開口面積を前記第１吹出口の開口面積より大きくしたことを特徴とする。
【００２１】
また、請求項１０に記載の発明は、請求項７又は８に記載のヘアドライヤーにおいて、前記タンクは、内部に水及び銀ペレットを収容し、出口に吸水部材を装着して、内部の銀イオン水を前記吸水部材を介して漏出させると共に、該漏出された銀イオン水を加熱手段で加熱蒸発させて、前記第２送風手段で前記第２イオン発生器へ送風することを特徴とする。
【００２２】
また、請求項１１に記載の発明は、請求項６〜９のいずれかに記載のヘアドライヤーにおいて、前記弱酸性ミストは、酸性度が３．５〜６．０ｐＨの範囲に設定されていることを特徴とする。
【００２３】
また、請求項１２に記載の発明は、請求項７〜１０のいずれかに記載のヘアドライヤーにおいて、前記タンクは、前記本体ケースに着脱自在な固着手段により装着されていることを特徴とする。
【００２４】
請求項１３に記載のヘアドライヤーの発明は、一端に吸入口及び他端に吹出口を有する筒状体からなる本体ケースの内部に、通風路を設けたヘアドライヤーにおいて、
前記本体ケースは、前記通風路を仕切り部により、第１吸入口及び第１吹出口を有する第１通風路と、第２吸入口及び第２吹出口を有する第２通風路とに仕切るとともに、前記仕切り部の一部にシャッタを設け、前記第１通風路には、温風を発生させる温風発生装置、前記第２通風路には弱酸性ミストを発生させるミスト発生装置をそれぞれ配設して、これらの温風発生手段及びミスト発生手段並びにシャッタを制御手段により制御して、前記第１吹出口から温風又は前記第２吹出口から弱酸性ミスト又は該弱酸性ミストを含む温風を吐出させることを特徴とする。
【００２５】
また、請求項１４に記載の発明は、請求項１３に記載のヘアドライヤーにおいて、前記温風発生装置は、前記第１吸入口から空気を吸引して前記第１吹出口から吐出させる第１送風手段と、前記第１送風手段から送風された空気を所定温度に加温する第１加熱手段と、マイナスイオンを発生する第１イオン発生器とを有し、前記第１吸入口から空気を吸引した空気を前記イオン発生器に当ててマイナスイオンを含む温風を発生させ、前記ミスト発生手段は、銀イオン水を貯留したタンクと、マイナスイオンを発生する第２イオン発生器とを有し、前記タンク内の銀イオン水を前記第２イオン発生器の対向する電極間に当てて弱酸性ミストを生成させることを特徴とする。
【００２６】
また、請求項１５に記載の発明は、請求項１３又は１４に記載のヘアドライヤーにおいて、前記タンクは、内部に水及び銀ペレットを収容し、出口に吸水部材を装着して、内部の銀イオン水を前記吸水部材を介して漏出させると共に、該漏出された銀イオン水を加熱手段で加熱蒸発させて、前記第２送風手段で前記第２イオン発生器へ送風することを特徴とする。
【００２７】
また、請求項１６に記載の発明は、請求項１３〜１５のいずれかに記載のヘアドライヤーにおいて、前記弱酸性ミストは、酸性度が３．５〜６．０ｐＨの範囲に設定されていることを特徴とする。
【００２８】
また、請求項１７に記載の発明は、請求項１３〜１５のいずれかに記載のヘアドライヤーにおいて、前記タンクは、前記本体ケースに着脱自在な固着手段により装着されていることを特徴とする。
【発明の効果】
【００２９】
本発明は上記構成を備えることにより、以下の優れた効果を奏する。すなわち、請求項１の発明によれば、吹出口から弱酸性ミストが吐出されるので、この弱酸性ミストを毛髪などに当てることにより、弱酸性ミストが有する効用を毛髪及び頭皮に効率よく作用させることが可能になる。すなわち、ミストを弱酸性にすることにより、毛髪及び頭皮との相性がよくなり、キューティクルを引き締めて潤いのある髪にするトリートメント効果が得られる。また、請求項２の発明のように、弱酸性ミストを温風に混入しても同様の効果を得られる。
【００３０】
また、請求項３の発明によれば、ミスト発生装置は、銀イオン水を貯留させたタンクと、マイナスイオンを発生するイオン発生器とで簡単に構成できる。
【００３１】
また、請求項４の発明によれば、銀イオン水を加熱手段で加熱蒸発させて、送風手段でイオン発生器へ送風することにより、ミストの粒径をナノサイズのミストにすることが可能になる。このように弱酸性ミストの粒径をナノサイズにすることにより、十分な量のミストを毛髪及び頭皮などの対象物に届けることが可能となり、毛髪などに潤いを与えることができる。
【００３２】
また、請求項５の発明によれば、弱酸性ミストの酸性度を３．５〜６．０ｐＨの範囲にすることにより、毛髪及び頭皮との相性がよくなり、キューティクルの引き締め作用等が得られる。すなわち、この範囲の値は、人の皮膚、髪などを構成しているタンパク質のｐＨ（５．０程度）前後の値となり、タンパク質にダメージを与えることなく潤いを与えることが可能になる。
【００３３】
また、請求項６の発明によれば、タンクを本体ケースに着脱自在な固着手段により装着することにより、交換が容易になる。
【００３４】
請求項７〜１２の発明によれば、本体ケース内の通風路を第１、第２通風路に仕切ることにより、吹出口から温風又は弱酸性ミストを含む温風並びに弱酸性ミストを選択して吐出させることができる。これらの弱酸性ミストを含む温風などを吐出させることにより、上記の作用効果を奏することが可能になる。特に、請求項９の発明のように、第２吹出口の開口面積を第１吹出口の開口面積より大きくすれば、第２通風路からのみ弱酸性ミストを含む温風又は弱酸性ミストを送風させる場合は、第２吹出口の開口面積を大きくすると、第２吹出口から大量に送風させることができ、また、第１、第２通風路からの送風を併用する場合は、弱酸性を含むミストとの混合比率を多くすることが可能になる。
【００３５】
請求項１３〜１７の発明によれば、第１、第２通風路の仕切り部にシャッタを設けることにより、吹出口から温風又は弱酸性ミストを含む温風を選択して吐出させることができる。特に、シャッタ操作により第１通風路の第１送風手段で第２通風路へ送風できるので、第２通風路の送風手段が不要となり、構成が簡単になる。また、弱酸性ミスト又は該弱酸性ミストを含む温風を吐出させることにより、上記の作用効果を奏することが可能になる。
【発明を実施するための最良の形態】
【００３６】
以下、図面を参照して本発明の最良の実施形態を説明する。但し、以下に示す実施形態は、本発明の技術思想を具体化するためのヘアドライヤーを例示するものであって、本発明をこのヘアドライヤーに特定することを意図するものではなく、特許請求の範囲に含まれるその他の実施形態のものも等しく適応し得るものである。
【実施例１】
【００３７】
図１を参照して、本発明の実施例１に係るヘアドライヤー１の構成を説明する。なお、図１は本発明の実施例１に係るヘアドライヤーの概略断面図である。
【００３８】
ヘアドライヤー１は、一端に吸入口２ａを他端に吹出口２ｂをそれぞれ設け、内部に空洞３を有する筒状体からなる本体ケース２を有し、この本体ケース２は電気絶縁性の合成樹脂成型体で形成されている。なお、この本体ケース２は、吸入口２ａ側の一端に手で握って本体ケース２を支持・操作する把持部（図示省略）が一体或いは折り畳み自在に固定されている。この把持部は、片手で握れる程度の筒状体からなり、本体ケースと同じ電気絶縁性の合成樹脂成型体で形成されている。この把持部には、その内部に各種制御装置が収容され、また、外壁面に操作スイッチなどが装着されている。また、本体ケース２の先端には、送風方向をコントロールできるキャップ１０が着脱自在に装着されている。
【００３９】
空洞３内には、吸入口２ａから空気を吸引して吹出口２ｂから吐出させるファン４と、このファン４を駆動するモータ５と、ヒータ６と、マイナスイオンを発生させるイオン発生器７とが配設されている。これらの部品は、不図示の支持手段を用いて本体ケース２に固定されている。また、ファン４とモータ５とで送風手段を構成している。
【００４０】
この空洞３内には、ファン４とヒータ６との間に所定大きさのタンク８が配設されている。このタンク８には、その内部に所定量（例えば５ｃｃ）の水と銀ペレットとが収容されている。銀ペレットは、例えば銀材を不織布で覆ったもので形成されている。銀ペレットの銀材は、抗菌及び無臭作用を有している。したがって、水を貯留したタンク８内に銀ペレットを入れると、タンク８内の水が腐敗したり或いは悪臭を発生したりすることがなくなる。また、このタンク８から流出される水は、銀ペレットから発生する銀イオンが含有された銀イオン水となる。タンク８は、一端に水の流出口が形成されている。この流出口には、多孔質の吸水部材（フィルタ）９が装着されている。タンク８の流出口に吸水部材９を装着すると、タンク８内の銀イオン水がこの吸水部材９を伝わって外へ漏出される。この漏出を容易にするために、タンク８の一部に負圧弁が設けられている。また、ヒータ６は、吸水部材９の近傍に設けられている。このヒータ６は、吸水部材９に吸水された銀イオン水を蒸発させるのに使用される。この構成によると、タンク８の流出口に吸水部材９が装着され、この吸水部材９に吸水された銀イオン水がヒータ６で加熱されるので、タンク８から漏出された銀イオン水は蒸発、すなわち粒径が極小となった霧（ミスト）状になって吹出口２ｂ方向へ送出される。なお、タンク８は本体ケース８に着脱自在に装着されていると好ましい。このように着脱自在とすればこのタンク８は銀イオン水がなくなったときに簡単に交換できるようになる。
【００４１】
イオン発生器７は、不図示の電源と、この電源に一端が接続されたスイッチと、このスイッチに他端に接続された高電圧発生部と、この高電圧発生部に接続された一対のマイナスイオン発生ピンとを有している。
【００４２】
このイオン発生器７は、スイッチをオンすると、高電圧発生部から高電圧が一対のマイナスイオン発生ピン間に印加されて、これらのマイナスイオン発生ピン間でコロナ放電が発生する。ヘアドライヤーの作動時には、タンク８の流出口から漏出された銀イオン水がヒータで加熱・蒸発されて、この蒸発により粒径が極小となったミストがイオン発生器７のコロナ放電部分に当たり、さらにその粒径が極小化、すなわち、ナノサイズのイオンミストとなって吹出口２ｂから吐出される。
【００４３】
このイオン発生器７を介して吹出口２ｂから吐出されたミストは、弱酸性のミストになっていることが確認された。この弱酸性ミストは、酸性度が３．５〜６．０ｐＨの範囲に設定されている。この範囲の酸性度は、人の皮膚及び毛髪などのタンパク質のｐＨ値（ｐＨ５．０）を中心にしてその前後の値であるので、弱酸性ミストを吐出することにより皮膚及び毛髪などのｐＨ値を５．０に近づけ、タンパク質の活性化作用を引き起こす。この設定は、銀ペレットの量及びイオン発生器７の作動を調節することによって調整される。また、この弱酸性ミストの粒径をナノサイズにすることにより、十分な量のミストを毛髪及び頭皮などの対象物に届けることが可能となり、毛髪などに潤いを与えることができる。なお、通常、マイナスイオンに付着する粒径は１ｎｍ程度であるが、この程度の粒径であると対象物まで十分なミストが届き難い。しかし、上記のようにナノサイズミスト（３〜１００ｎｍ程度）にすることにより、十分な量のミストを毛髪及び頭皮などの対象物に届けることが可能となる。
【００４４】
この吐出された弱酸性ミストを含む温風を毛髪等に当てることにより、キューティクルを引き締めて毛髪に潤いを与えることができる。また、弱酸性ミストの粒径をナノサイズにすることにより、十分な量のミストを毛髪及び頭皮などの対象物に届けることが可能となり、毛髪等に十分な潤いを与えることができる。
【００４５】
この実施例１のヘアドライヤーでは、弱酸性ミストを温風に混入させたが、弱酸性ミスとのみを送風するようにしてもよい。この送風は、例えばヒータへの給電をストップして行われる。なお、ヒータを省いてもよい。
【実施例２】
【００４６】
次に、図２を参照して、本発明の実施例２に係るヘアドライヤー１Ａの構成を説明する。なお、図２は本発明の実施例２に係るヘアドライヤーの概略断面図である。
【００４７】
ヘアドライヤー１Ａは、一端に吸入口を他端に吹出口をそれぞれ設け、内部に空洞３を有する筒状体からなる本体ケース２を有し、この本体ケース２は、その内部が仕切り板Ｓで２つの第１、第２空洞３Ａ、３Ｂに仕切られて、これらの第１、第２空洞３Ａ、３Ｂに吸入口から吸引された空気を吹出口から吐出させる第１、第２通風路Ｖ1、Ｖ2が形成された構成を有している。この本体ケース２は、電気絶縁性の合成樹脂成型体で形成されている。なお、この本体ケース２は、実施例１のヘアドライヤー１と同様に、一端に把持部（図示省略）を有し、この把持部には各種制御装置が収容され、また、外壁面に操作スイッチなどが装着されている。また、本体ケース２の先端には、送風方向をコントロールできるキャップ１０が着脱自在に装着されている。
【００４８】
第１空洞３Ａは、一端に第１吸入口２Ａ1及び他端に第１吹出口２Ａ2が設けられている。その内部には、第１吸入口２Ａ1から空気を吸引して第１吹出口２Ａ2から吐出させる第１ファン４Ａと、この第１ファン４Ａを駆動する第１モータ５Ａと、送風された空気を加温する第１ヒータ６Ａと、マイナスイオンを発生させる第１イオン発生器７Ａとが配設されている。これらの部品は、不図示の支持手段を用いて本体ケース２及び仕切り板Ｓなどに固定されている。第１ファン４Ａと第１モータ５Ａとで第１送風手段を構成している。
【００４９】
第１イオン発生器７Ａは、不図示の電源と、この電源に一端が接続された第１スイッチと、この第１スイッチの他端に接続された高電圧発生部と、この高電圧発生部に接続された一対のイオン端子とを有している。このイオン発生器７Ａは、第１スイッチをオンすると、高電圧発生部から高電圧が一対のイオン端子間に印加されて、これらのイオン端子間でコロナ放電が発生するようになっている。なお、ヘアドライヤーの作動時、このコロナ放電発生部分には、加温された空気が吹き付けられて、第１吹出口２Ａ2からマイナスイオンを含んだ温風が吐出される。
【００５０】
第２空洞３Ｂは、一端に第２吸入口２Ｂ1及び他端に第２吹出口２Ｂ2が設けられている。その内部には、第２吸入口２Ｂ1から空気を吸引して第２吹出口２Ｂ2から吐出させる第２ファン４Ｂと、この第２ファン４Ｂを駆動する第２モータ５Ｂと、第２ヒータ６Ｂと、マイナスイオンを発生させる第２イオン発生器７Ｂとが配設されている。これらの部品は、不図示の支持手段を用いて本体ケース２及び仕切り板Ｓに固定されている。また、第２ファン４Ｂと第２モータ５Ｂとで第２送風手段を構成している。
【００５１】
また、この空洞３Ｂ内には、第２ファン４Ｂと第２ヒータ６Ｂとの間に所定大きさのタンク８が配設されている。このタンク８は、その内部に所定量（例えば５ｃｃ）の水と銀ペレットとが収容されている。銀ペレットは、例えば銀材を不織布で覆ったもので形成されている。銀ペレットの銀材は、抗菌及び無臭作用を有している。したがって、水を貯留したタンク８内に銀ペレットを入れると、タンク８内の水が腐敗したり或いは悪臭を発生したりすることがなくなる。また、このタンク８から流出される水は、銀ペレットから発生する銀イオンが含有された銀イオン水となる。タンク８は、一端に水の流出口が形成されている。この流出口には、多孔質の吸水部材（フィルタ）９が装着されている。
【００５２】
第２イオン発生器７Ｂは、不図示の電源と、この電源に一端が接続された第２スイッチと、このスイッチに他端に接続された高電圧発生部と、この高電圧発生部に接続された一対のマイナスイオン発生ピンとを有している。
【００５３】
第２イオン発生器７Ｂは、第２スイッチをオンすると、高電圧発生部から高電圧が一対のマイナスイオン発生ピン間に印加されて、これらのマイナスイオン発生ピン間でコロナ放電が発生する。ヘアドライヤーの作動時には、タンク８の流出口から漏出された銀イオン水が第２ヒータで加熱・蒸発されて、この蒸発により粒径が極小となったミストが第２イオン発生器７Ｂのコロナ放電部分に当たり、さらにその粒径が極小化、すなわち、ナノサイズのイオンミストとなって第２吹出口２Ｂ2から吐出される。なお、この第２空洞３Ｂ内に収容された第２ファン４Ｂ、第２モータ５Ｂ，第２ヒータ６Ｂ，第２イオン発生器７Ｂ、タンク８及び吸水部材（フィルタ）９は、図１の空洞３内に収容されたもの同じ機能を有する部材となっている。
【００５４】
次に、この構成のヘアドライヤー１Ａの使用方法を説明する。このヘアドライヤー１Ａは、把持部に装着した不図示の制御装置及びスイッチにより制御して、以下の３つの（イ）〜（ハ）のいずれかが選択されて使用される。
（イ）マイナスイオンを含む温風の送風
不図示の電源スイッチをオンすると共に、不図示のマイナスイオン送風スイッチをオンする。このスイッチのオンにより、第１モータ５Ａ、第１ファン４Ａ、第１ヒータ６Ａ及び第１スイッチがオンされて、第１吸入口２Ａ1から第１空洞３Ａ内の第１通風路Ｖ1を介して第１吹出口２Ａ2へマイナスイオンを含む温風が吐出される。すなわち、第１空洞３Ａ内では、第１モータ５Ａにより第１ファン４Ａを回転させると、この第１ファン４Ａの回転により第１吸入口２Ａ1から空気を吸い込み、この空気を第１ヒータ６Ａで加温し、加温された空気にイオン発生器７Ａからのマイナスイオンが混入されて第１吹出口２Ａ2から吐出される。この吐出されたマイナスイオンを含む温風を毛髪に当てて乾燥或いはトリートメントが行われる。
（ロ）弱酸性ミスト又は該弱酸性ミストを含む温風の送風
不図示の電源スイッチをオンすると共に、不図示の弱酸性ミスト送風スイッチをオンする。このスイッチのオンにより、第２モータ５Ｂ、第２ファン４Ｂ、第２ヒータ６Ｂ及び第２スイッチがオンされて、第２吸入口２Ｂ1から第２空洞３Ｂ内の第２通風路Ｖ2を介して第２吹出口２Ｂ2へ弱酸性ミストを含む温風が送風される。すなわち、第２空洞３Ｂ内では、第２モータ５Ｂにより第２ファン４Ｂを回転させると、この第２ファン４Ｂの回転により第２吸入口２Ｂ1から空気を吸い込み、ヘアドライヤー１の作動時には、タンク８内の水が蒸発してミストを含む温風がこのコロナ放電部分に当たり、さらにその粒径が極小化、すなわち、ナノサイズのイオンミストとなって、第２吹出口２Ｂ2から吐出される。そして、この第２吹出口２Ｂ2から吐出される温風には水が霧化されたミストが含まれている。また、ヒータへの給電をストップして弱酸性ミストのみを送風するようにしてもよい。
【００５５】
この吐出された弱酸性ミスト又は該弱酸性ミストを含む温風を毛髪等に当てることにより、キューティクルを引き締めて毛髪に潤いを与えることができる。また、弱酸性ミストの粒径をナノサイズにすることにより、十分な量のミストを毛髪及び頭皮などの対象物に届けることが可能となり、毛髪等に十分な潤いを与えることができる。
（ハ）上記（イ）、（ロ）の同時送風
この使用は、上記（イ）、（ロ）を同時にしたものとなる。すなわち、第１モータ５Ａ、第１ファン４Ａ、第１ヒータ６Ａ及び第１スイッチと、第２モータ５Ｂ、第２ファン４Ｂ、第２ヒータ６Ｂ及び第２スイッチとが同時にオンされることにより、マイナスイオンを含む温風と弱酸性ミスト又は該弱酸性ミストを含む温風とが混在した状態で吐出されることになる。
【実施例３】
【００５６】
図３を参照して、本発明の実施例３に係るヘアドライヤーの構成を説明する。なお、図３は、本発明の実施例３に係るヘアドライヤーの概略断面図である。
【００５７】
このヘアドライヤー１Ｂは、上記ヘヤドライヤー１に比して吹出口の形状が異なる以外は同じ構成を備えているので、共通する構成要素には同じ符号を付して重複説明を省略し、異なる構成についてのみ説明する。
【００５８】
ヘアドライヤー１Ｂは、上記実施例２のヘヤドライヤー１Ａの吹出口の形状を変更して、第２吹出口２Ｂ1の開口面積を第１吹出口２Ａ1の開口面積より大きくしたものである。この構成により、第２通風路からのみ弱酸性ミストを含む温風を送風させる場合は、第２吹出口の開口面積を大きくすると、第２吹出口から大量に送風させることができ、また、第１、第２通風路からの送風を併用する場合は、弱酸性を含むミストとの混合比率を多くすることが可能になる。
【実施例４】
【００５９】
図４を参照して、本発明の実施例４に係るヘアドライヤーの構成を説明する。なお、図４は本発明の実施例４に係るヘアドライヤーを示し、図４（ａ）はシャッタを閉じた状態の概略断面図、図４（ｂ）はシャッタを開いた状態の概略断面図である。
【００６０】
このヘアドライヤー１Ｃは、上記実施例２のヘヤドライヤー１Ａに比して主にシャッタを設けた構成及びそれに付随する構成が異なる以外は同じ構成を備えているので、共通する構成要素には同じ符号を付して重複説明を省略し、異なる構成についてのみ説明する。
【００６１】
ヘアドライヤー１Ｃは、本体ケース２内の通風路が仕切り板Ｓで仕切られて第１、第２通風路Ｖ1、Ｖ2が形成されており、仕切り板Ｓの端部に第１、第２通風路Ｖ1、Ｖ2への送風を切り換えるシャッタ１１が設けられた構成となっている。シャッタ１１は、不図示の制御手段により開閉される。
【００６２】
第１通風路Ｖ1には、第１吸入口２Ａ1から空気を吸引して第１吹出口２Ａ2から吐出させる第１ファン４Ａ及び第１モータ５Ａからなる第１送風手段と、この第１送風手段から送風された空気を所定温度に加温する第１ヒータ６Ａと、マイナスイオンを発生する第１イオン発生器７Ａとを有する温風発生手段が配設されている。第２通風路Ｖ2には、銀イオン水を貯留したタンク８と、シャッタ１１を介して第１送風手段から送風された空気を所定温度に加温する第２ヒータ６Ｂと、マイナスイオンを発生する第２イオン発生器７Ｂとを有するミスト発生手段が配設されている。これらの温風発生手段及びミスト発生手段並びにシャッタ１１は制御手段により開閉制御され、第１吹出口２Ａ2から温風又は第２吹出口２Ｂ2から弱酸性ミストを含む温風を吐出させる。
【００６３】
この構成によれば、第１、第２通風路Ｖ1、Ｖ2の仕切り部分にシャッタ１１を設けることにより、第１、第２吹出口２Ａ2、２Ｂ2から温風又は弱酸性ミストを含む温風並びに弱酸性ミストを選択して吐出させることができる。特に、シャッタ１１の操作により第１通風路Ｖ1に設けられた第１送風手段で第２通風路Ｖ2へ送風できるので、第２通風路Ｖ2の送風手段が不要となり、構成が簡単になる。このように弱酸性ミストを含む温風などを吐出させることもできるので、上記各実施例と同様の効果を奏することも可能となる。
【００６４】
したがって、本発明の実施形態においては、必ずしも弱酸性ミストを含む温風だけでなく、弱酸性ミストを含む送風や、弱酸性ミストのみを吐出させることも可能である。また、弱酸性ミストの粒径をナノサイズにすることにより、十分な量のミストを毛髪及び頭皮などの対象物に届けることが可能となり、毛髪等に十分な潤いを与えることができる。
【図面の簡単な説明】
【００６５】
【図１】図１は本発明の実施例１に係るヘアドライヤーの概略断面図である。
【図２】図２は本発明の実施例２に係るヘアドライヤーの概略断面図である。
【図３】図３は本発明の実施例３に係るヘアドライヤーの概略断面図である。
【図４】図４は本発明の実施例４に係るヘアドライヤーの概略断面図である。
【図５】図５は従来技術のヘアドライヤーの概略断面図である。
【符号の説明】
【００６６】
１、１Ａ、１Ｂ、１Ｃ  ヘアドライヤー
２              本体ケース
３              空洞
３Ａ、３Ｂ      第１、第２空洞
２ａ            吸入口
２ｂ            吹出口
２Ａ1          第１吸入口
２Ａ2          第１吹出口
２Ｂ1          第２吸入口
２Ｂ2          第２吹出口
４              ファン
４Ａ            第１ファン
４Ｂ            第２ファン
５              モータ
５Ａ            第１モータ
５Ｂ            第２モータ
６              ヒータ
６Ａ            第１ヒータ
６Ｂ            第２ヒータ
７              イオン発生器
７Ａ            第１イオン発生器
７Ｂ            第２イオン発生器
８              タンク
９              吸水部材
１０            キャップ
１１            シャッタ
Ｓ              仕切り板
Ｖ1、Ｖ2      第１、第２通風路
【図１】
2009136303.tif 000003
【図２】
2009136303.tif 000004
【図３】
2009136303.tif 000005
【図４】
2009136303.tif 000006
【図５】
2009136303.tif 000007